(57)【要約】【課題】エンボスキャリアテープの凹部内で、吸着コレットが吸着しやすい姿勢を維持することで、薄型化の達成が可能な光電変換装置を提供する。【解決手段】光信号から電気信号へ変換する受光素子１２、電気信号から光信号へ変換する発光素子１１、および受信した電気信号を復調処理する制御素子１３と、受光素子１２や発光素子１１などが搭載され、搭載面１４ａに外部端子１４ｂが形成された装置基板１４と、受光素子１２や発光素子１１などを封止すると共に、外部端子１４ｂを露出させ、受光素子１２および発光素子１１に対応する位置にそれぞれレンズ部１５ｂが形成された樹脂パッケージ１５とを備え、樹脂パッケージ１５には、レンズ部１５ｂを下方に向けた状態で全体を支持する凸部１５ｃが設けられている。【選択図】図１
2009200381.tif 000002
【特許請求の範囲】
【請求項１】
光信号から電気信号へ変換する受光部、および電気信号から光信号へ変換する発光部を有する光電変換部と、
前記光電変換部が搭載され、搭載面に外部端子が形成された装置基板と、
前記光電変換部を封止すると共に、前記外部端子を露出させ、前記受光部および発光部に対応する位置にそれぞれレンズ部が形成された樹脂パッケージとを備え、
前記樹脂パッケージに、前記レンズ部を下方に向けた状態で全体を支持する１以上の凸部が設けられていることを特徴とする光電変換装置。
【請求項２】
前記凸部は、前記レンズ部とほぼ同じ高さに形成されていることを特徴とする請求項１記載の光電変換装置。
【請求項３】
前記凸部は、前記樹脂パッケージと一体的に設けられていることを特徴とする請求項１または２記載の光電変換装置。
【発明の詳細な説明】
【技術分野】
【０００１】
本発明は、基板上に設けられた発光部と受光部とを封止すると共に、発光部と受光部とに対応する位置に球面状のレンズ部が形成された樹脂パッケージが設けられた光電変換装置に関する。
【背景技術】
【０００２】
従来の光電変換装置は、電気信号を光信号に変換する発光素子と、光信号を電気信号に変換する受光素子とを備え、携帯電話やノートパソコンなどに搭載されることで、ケーブルを接続しなくても、容易にデータの送受信を可能とするものである。この従来の光電変換装置が、赤外線データ通信モジュールとして特許文献１に記載されている。
【０００３】
この特許文献１に記載された赤外線データ通信モジュールは、発光素子および受光素子を含む部品群が上面に搭載され、全体として平面視長矩形状に形成された装置基板と、この装置基板上に、部品群を封止するとともに装置基板と略同一平面形状に形成され、発光素子および受光素子に対応する位置に球形状のレンズ部が形成された樹脂パッケージとを備えており、装置基板の一側端面には、この装置基板の厚み方向に延びる半スルーホール電極により形成された複数の接続端子部が設けられている。
【０００４】
この従来の光電変換装置をプリント配線基板に実装するときには、実装機によって実装されるが、実装機にはエンボスキャリアテープによって供給される。図６にエンボスキャリアテープを示す。また、図７に、エンボスキャリアテープ１００に従来の光電変換装置を収納した状態を示す。
【０００５】
図６および図７に示すように、エンボスキャリアテープ１００は、従来の光電変換装置１１０を収納する平面視して矩形状の凹部１０１が、長さ方向に沿って一列に形成されている。この凹部１０１に収納された従来の光電変換装置１１０をプリント配線基板に実装する際には、従来の光電変換装置１１０の樹脂パッケージ１１１に設けられた２つのレンズ部１１２の間を、実装機の吸着コレットにより吸着して取り出し、プリント配線基板の所定の位置まで搬送して実装する。
【０００６】
図８に、この従来の光電変換装置１１０をプリント配線基板１２０に実装した状態を示す。図８では、従来の光電変換装置１１０の光軸がプリント配線基板１２０に対して垂直となるように実装した状態を示している。このように従来の光電変換装置１１０をプリント配線基板１２０に実装すると、全体の厚みは、プリント配線基板１２０の厚みＴと、従来の光電変換装置１１０の装置基板１１３の底面からレンズ部１１２の頂頭部１１４までの高さＨの合計となる。
【特許文献１】特開２００３−８０６６号公報
【発明の開示】
【発明が解決しようとする課題】
【０００７】
ところで、携帯電話装置やノートパソコンは、携帯性の向上を図ると共に、デザイン性の向上を図るために、全ての部品に対して小型化が求められている。従って、従来の光電変換装置１１０の光軸がプリント配線基板１２０に対して垂直となるように実装する場合においても、更に薄くなるように求められている。
【０００８】
そこで、図８に示すように、プリント配線基板１２０上に従来の光電変換装置１１０を載置して実装するのではなく、図９に示すように、装置基板１３１の両端部に外部電極１３２が設けられ、この外部電極１３２を露出するようにレンズ部１３３が形成された樹脂パッケージ１３４が設けられた他の従来の光電変換装置１３０を準備する。そして、この他の従来の光電変換装置１３０を、図１０に示すように、矩形状の開口１４１が設けられたプリント配線基板１４０の裏側からレンズ部１３３を覗かせ、装置基板１３１の両端部に形成された外部端子１３２をプリント配線基板１４０の裏側に設けられた接続端子（図示せず）に接続する。そうすることで、全体の厚みをプリント配線基板１４０の厚み分ほど薄くすることができる。
【０００９】
この他の従来の光電変換装置１３０を、図６に示すエンボスキャリアテープ１００に収納する場合には、レンズ部１３３を凹部１０１の底側へ向けて入れる方が望ましい。それは、他の従来の光電変換装置１３０をプリント配線基板１４０に実装するときには、吸着コレットを装置基板１３１に吸着させた状態で取り出し、接続端子が設けられている面である裏面側を上にしたプリント配線基板１４０の開口１４１に、上方からレンズ部１３３を挿入して、光電変換装置１をプリント配線基板１４０に配置するからである。
【００１０】
しかし、図１１に示すように、２つのレンズ部１３３は、それぞれ球面状に形成されているので安定せず、凹部１０１の中で他の従来の光電変換装置１３０が傾斜した状態となってしまい、吸着コレットが装置基板１３１に吸着しにくい姿勢となってしまう。
【００１１】
従って、他の従来の光電変換装置１３０をプリント配線基板１４０に安定して実装することができない。これでは、薄型化や小型化の達成は困難である。
【００１２】
そこで本発明は、エンボスキャリアテープの凹部内で、吸着コレットが吸着しやすい姿勢を維持することで、薄型化の達成が可能な光電変換装置を提供することを目的とする。
【課題を解決するための手段】
【００１３】
本発明の光電変換装置は、受光部および発光部に対応する位置にそれぞれレンズ部が形成された樹脂パッケージが設けられ、このレンズ部の間に凸部が設けられていることを特徴とする。
【発明の効果】
【００１４】
本発明の光電変換装置は、レンズ部を下にしてエンボスキャリアテープの凹部内に収納した場合でも凸部により全体を支持させることができるので、凹部内で安定した姿勢に維持させることができる。よって、本発明の光電変換装置は、エンボスキャリアテープの凹部内で、吸着コレットが吸着しやすい姿勢を維持することで、薄型化を達成させることができる。
【発明を実施するための最良の形態】
【００１５】
本願の第１の発明は、光信号から電気信号へ変換する受光部、および電気信号から光信号へ変換する発光部を有する光電変換部と、光電変換部が搭載され、搭載面に外部端子が形成された装置基板と、光電変換部を封止すると共に、外部端子を露出させ、受光部および発光部に対応する位置にそれぞれレンズ部が形成された樹脂パッケージとを備え、樹脂パッケージに、レンズ部を下方に向けた状態で全体を支持する１以上の凸部が設けられていることを特徴としたものである。
【００１６】
本発明の光電変換装置には、樹脂パッケージのレンズ部を下方に向けた状態で全体を支持する１以上の凸部が設けられているので、レンズ部を下にしてエンボスキャリアテープの凹部内に収納した場合でも凸部により全体を支持させることができる。従って、本発明の光電変換装置を凹部内で安定した姿勢に維持させることができる。
【００１７】
本願の第２の発明は、第１の発明において、レンズ部とほぼ同じ高さに形成されていることを特徴としたものである。
【００１８】
本願の第２の発明においては、レンズ部とほぼ同じ高さに形成されていることで、凸部だけでなく、レンズ部の頂点も支持させることができるので、更に凹部内で安定した姿勢に維持させることができる。
【００１９】
本願の第３の発明は、第１または第２の発明において、凸部は、樹脂パッケージと一体的に設けられていることを特徴としたものである。
【００２０】
本願の第３の発明においては、凸部が、樹脂パッケージと一体的に設けられているので、樹脂パッケージを成型するときに同時に凸部を形成することができる。従って、凸部を形成するための余分な工程を追加する必要がない。
【００２１】
（実施の形態）
本発明の実施の形態に係る光電変換装置について、図面に基づいて説明する。図１は、本発明の実施の形態に係る光電変換装置を示す斜視図である。図２は、図１に示す光電変換装置を示す正面図である。
【００２２】
図１および図２に示すように、光電変換装置１は、電気信号を光信号へ変換する発光素子１１と、光信号を受信して電気信号へ変換する受光素子１２と、受信した電気信号を復調処理する制御素子１３とが、装置基板１４の搭載面１４ａに搭載されている。発光素子１１と受光素子１２とで、光電変換部が構成される。
【００２３】
装置基板１４は、細長の矩形状に形成された絶縁基板に、金属薄膜で形成された配線パターン（図示せず）が設けられている。樹脂パッケージ１５が搭載面１４ａの両端部に形成された配線パターンを露出することで、電気信号を入力したり出力したりする外部端子１４ｂが形成される。
【００２４】
樹脂パッケージ１５は、例えば光信号が赤外線であれば、赤外線が透過可能な樹脂で形成され、発光素子１１と受光素子１２と制御素子１３とを封止する樹脂封止部である。樹脂パッケージ１５は、板状の基台部１５ａと、発光素子１１および受光素子１２が搭載された位置に形成された球面状のレンズ部１５ｂとを備えている。また、樹脂パッケージ１５には、レンズ部１５ｂ，１５ｂの間に、レンズ部１５ｂと同じ高さに形成された直方体状の凸部１５ｃが設けられている。ここで同じ高さとは、レンズ部１５ｂ，１５ｂと凸部１５ｃとがそれぞれ基台部１５ａからの突出した高さが同じであることを示しており、製造上の誤差範囲で異なる程度は含まれる。
【００２５】
本実施の形態では、凸部１５ｃを基台部１５ａと一体に形成することで、樹脂パッケージ１５の一部としているが、別体としてもよい。この凸部１５ｃは、基台部１５ａ、レンズ部１５ｂおよび凸部１５ｃを形成するキャビティを有する金型を使用してトランスファー成型法にて樹脂パッケージ１５を成型することにより、別工程を設けることなく一度の工程で形成することができる。
【００２６】
以上のように構成された本発明の実施の形態に係る光電変換装置１を、図３に基づいて説明する。図３は、図１に示す光電変換装置をエンボスキャリアテープの凹部に収納した状態を示す断面図である。
【００２７】
図３に示すように、光電変換装置１を、レンズ部１５ｂを下方に向けた状態で、エンボスキャリアテープ１００の凹部１０１に収納すると、凹部１０１の底面に凸部１５ｃが２つのレンズ部１５ｂ，１５ｂの頂上と共に光電変換装置１全体を支持するので、凹部１０１内で傾斜した状態となることを防止することができる。従って、光電変換装置１を、凹部内で安定した姿勢に維持させることができる。
【００２８】
この光電変換装置１をプリント配線基板に実装するときには、実装機（図示せず）の吸着コレットで装置基板１４の搭載面１４ａとは反対となる面を吸着し、そのまま持ち上げてプリント配線基板が配置されている場所まで光電変換装置１を移動する。
【００２９】
次に、光電変換装置１をプリント配線基板に実装した状態を、図４および図５に基づいて説明する。図４は、プリント配線基板を示す斜視図である。図５は、図４に示すプリント配線基板に光電変換装置を実装した状態を示す斜視図である。
【００３０】
図４に示すように、プリント配線基板２は、ガラスエポキシ樹脂などの絶縁基板２１に、光電変換装置１の外部端子１４ｂ（図１参照）と接続する接続端子２２が形成されている。なお、図３では、この接続端子２２からの配線パターンは図示していない。
【００３１】
絶縁基板２１には、樹脂パッケージ１５の基台部１５ａの大きさに形成された平面視して矩形状の開口２３が設けられている。
【００３２】
このプリント配線基板２に光電変換装置１を実装するときには、接続端子２２を上に向けた状態で、プリント配線基板２を配置し、吸着コレットで吸着した光電変換装置１のレンズ部１５ｂを開口２３に入れるようにして載置する。そして、接続端子２２と光電変換装置１の外部端子１４ｂとを導電性接着剤により接続する。
【００３３】
樹脂パッケージ１５には、レンズ部１５ｂの他に、突出した凸部１５ｃが形成されているが、開口２３が基台部１５ａの大きさに形成されているので、問題はない。
【００３４】
このようにして、光電変換装置１をプリント配線基板２に、図５に示すように実装することができる。
【００３５】
以上、本発明の実施の形態について説明してきたが、本発明は前記実施の形態に限定されるものではない。本実施の形態では、レンズ部１５ｂを下に向けたときに全体を支持する支持部として機能する凸部１５ｃは１つ設けられているが、２以上設けるようにしてもよい。つまり、凸部として基台部１５ａより突出して全体を支持可能な突起が、複数形成されていてもよい。
【００３６】
また、凸部１５ｃは直方体状とする以外に、三角柱状、円柱状、楕円形状など頂上面で支持できれば他の形状とすることが可能である。また、凸部だけで全体を支持できれば、レンズ部１５ｂと同じ高さとしなくてもよい。しかし、凸部の頂上面の広さが広く確保できなければ、２つのレンズ部１５ｂと共に支持することができるので、凸部１５ｃの高さはレンズ部１５ｂと同じ高さとするのが望ましい。
【産業上の利用可能性】
【００３７】
本発明は、エンボスキャリアテープの凹部内で、吸着コレットが吸着しやすい姿勢を維持することで、薄型化の達成が可能なので、基板上に設けられた発光部と受光部とを封止すると共に、発光部と受光部とに対応する位置に球面状のレンズ部が形成された樹脂パッケージが設けられた光電変換装置に好適である。
【図面の簡単な説明】
【００３８】
【図１】本発明の実施の形態に係る光電変換装置を示す斜視図
【図２】図１に示す光電変換装置を示す正面図
【図３】図１に示す光電変換装置をエンボスキャリアテープの凹部に収納した状態を示す断面図
【図４】プリント配線基板を示す斜視図
【図５】図４に示すプリント配線基板に光電変換装置を実装した状態を示す斜視図
【図６】エンボスキャリアテープを示す斜視図
【図７】エンボスキャリアテープの凹部に従来の光電変換装置を収納した状態を示す断面図
【図８】従来の光電変換装置をプリント配線基板に実装した状態を示す斜視図
【図９】他の従来の光電変換装置を示す斜視図
【図１０】他の従来の光電変換装置をプリント配線基板に実装した状態を示す斜視図
【図１１】他の従来の光電変換装置をエンボスキャリアテープの凹部に収納した状態を示す断面図
【符号の説明】
【００３９】
１  光電変換装置
２  プリント配線基板
１１  発光素子
１２  受光素子
１３  制御素子
１４  装置基板
１４ａ  搭載面
１４ｂ  外部端子
１５  樹脂パッケージ
１５ａ  基台部
１５ｂ  レンズ部
１５ｃ  凸部
２１  絶縁基板
２２  接続端子
２３  開口
１００  エンボスキャリアテープ
１０１  凹部
【図１】
2009200381.tif 000003
【図２】
2009200381.tif 000004
【図３】
2009200381.tif 000005
【図４】
2009200381.tif 000006
【図５】
2009200381.tif 000007
【図６】
2009200381.tif 000008
【図７】
2009200381.tif 000009
【図８】
2009200381.tif 000010
【図９】
2009200381.tif 000011
【図１０】
2009200381.tif 000012
【図１１】
2009200381.tif 000013